(57)【要約】【課題】保守部品を特定する作業を容易に行えるようにし、作業効率を大幅に向上させることのできる保守部品検索支援装置を提供する。【解決手段】保守部品毎の保守図面画像と、製作図面画像を予め記憶する記憶部２ｃ，２ｅを設け、表示部3の表示画面上に表示された前記保守部品の注目する部品番号ハ２の位置を指示した時、当該保守部品の保守図面の図面画像を表示させ、前記表示部３の表示画面上に表示された前記保守部品の注目する製作図番ハ４の位置を指示した時、当該保守部品の製作図面の図面画像を表示させるように構成した。【選択図】図５
2005301435.tif 000002
【特許請求の範囲】
【請求項１】
保守部品毎にそれぞれ固有の部品番号、部品名、製作図番のデータを対応付けて予め記憶し、入力データに基づいて前記保守部品のデータを抽出して、表示部の表示画面上に前記保守部品の部品番号、部品名、製作図番をそれぞれ対比させた検索結果一覧表として表示させるようにした保守部品検索支援装置において、
前記保守部品毎の保守図面画像と、製作図面画像を予め記憶する記憶部を設け、前記表示装置の表示画面上に表示された前記保守部品の注目する部品番号の位置を指示した時、前記記憶部から当該保守部品の保守図面の図面画像を引出して表示させ、前記表示部の表示画面上に表示された前記保守部品の注目する製作図番の位置を指示した時、前記記憶部から当該保守部品の製作図面の図面画像を引出して表示させるようにしたことを特徴とする保守部品検索支援装置。
【発明の詳細な説明】
【技術分野】
【０００１】
本発明はエレベーター等のビル設備の保守部品の検索に好適な保守部品検索支援装置に関する。
【背景技術】
【０００２】
エレベーター等のビル設備の保守管理は専門的な知識と経験を必要とするので、通常は保守会社に委託されることが多い。保守会社は要所に営業所等の営業拠点を設け、そこに保守員を配置して保守委託された顧客ビルを定期的に巡回させ、ビル設備の保守・点検業務に当たらせている。ところで、保守員がこの保守・点検の過程で例えば、エレベーターを点検したところ、部品交換の必要があると判断した場合に、保守員はその部品番号を特定して、その部品番号に従って交換部品を発注して部品の入荷を待つといった段取りが取られる。
【０００３】
上述の部品番号の特定は、エレベーター毎に用意されている保守部品の構成表をコンピューターの端末に表示させて、表示された保守部品の部品名を基に当該部品を検索したり、エレベーターの機種毎に揃えられた図面を綴じ込んだ機種別保守部品台帳や、エレベーターの装置別部品番号順に綴じ込んだ装置別部品番号順保守部品台帳等の数十冊に亘る台帳の中から部品名を基に当該部品を検索して、抽出された部品の形状寸法等の特徴を現品と照合することにより、当該部品と同一部品であることの特定を行っていた。
【０００４】
コンピューターを用いた部品検索に関しては、近年、検索用装置およびこれに搭載されるソフトの技術が飛躍的に進歩し、特に自動車の整備や家庭電気製品の部品管理の分野では、保守部品情報をＣＤ−ＲＯＭに格納して、随時表示装置上に読出表示可能にすることにより部品検索の効率化を図っている。
【０００５】
ビル設備の保守・管理業務においても保守部品情報の電子化を図ることが検討され、一部実用化されている。例えば、ビル設備を構成する保守部品の名称データとその部品の仕様項目を指定して該当する保守部品の図面を検索するようにしたもの（特許文献１参照）が、また、エレベーターの部品構成から部品番号とその図面を検索するようにしたもの（特許文献２参照）が開示されている。
【特許文献１】特開平９−１３４３９４号公報（段落番号００２２参照）
【特許文献２】特開平９−２３１２３６号公報（段落番号０００６参照）
【発明の開示】
【発明が解決しようとする課題】
【０００６】
上述の従来技術においては、交換する部品の部品番号を特定する場合は、その部品名と同じ部品名の保守部品の部品番号を検索し、該部品番号と部品名を検索結果一覧表として表示画面上に表示させるか、或いは、エレベーターの設備番号からその部品構成を検索して部品番号と部品名を検索結果一覧表として表示画面上に表示させるかして、表示された部品番号の中から所定の部品番号を指定し、その部品番号の図面を表示画面上に表示させ、さらに検索結果一覧表の中の次の部品番号の図面を表示させたい場合には、次の図面を順送りで表示画面上に表示させていた。
【０００７】
このため、部品の部品番号を特定する作業においては、所定の部品番号の図面を表示画面上に表示させ、その部品の形状寸法を照合することにより行われるが、この図面は製作用図面とは異なり、保守用に簡略化して記載された保守用図面であり、詳細部については情報不足により確定に至らず、さらに別の部品番号の図面の確認作業が必要となり、最終確定までにかなりの時間と労力が必要となるという問題があった。
【０００８】
本発明は、上述の従来技術における問題点を解消したもので、その目的は、保守部品を特定する作業を容易に行えるようにし、作業効率を大幅に向上させることのできる保守部品検索支援装置を提供することにある。
【課題を解決するための手段】
【０００９】
上記目的を達成するため、本発明は、保守部品毎にそれぞれ固有の部品番号、部品名、製作図番のデータを対応付けて予め記憶し、入力データに基づいて前記保守部品のデータを抽出して、表示部の表示画面上に前記保守部品の部品番号、部品名、製作図番をそれぞれ対比させた検索結果一覧表として表示させるようにした保守部品検索支援装置において、前記保守部品毎の保守図面画像と、製作図面画像を予め記憶する記憶部を設け、前記表示装置の表示画面上に表示された前記保守部品の注目する部品番号の位置を指示した時、前記記憶部から当該保守部品の保守図面の図面画像を引出して表示させ、前記表示部の表示画面上に表示された前記保守部品の注目する製作図番の位置を指示した時、前記記憶部から当該保守部品の製作図面の図面画像を引出して表示させるようにしたことを特徴とする。
【発明の効果】
【００１０】
本発明によれば、入力データに基づいて抽出した保守部品の部品番号に保守図面の図面画像を対応付けて表示させ、更に、製作図番に製作図面の図面画像を対応付けて表示させるようにしたため、保守部品の保守図面の図面画像および製作図面の図面画像を表示することができ、保守部品を極めて容易に特定してその部品番号等の情報を正確に得ることができる。
【発明を実施するための最良の形態】
【００１１】
以下、本発明の実施形態を図面に基づき説明する。
【００１２】
図１は本発明の実施例に係るエレベーターの保守部品検索支援装置のブロック図、図２はエレベーターの保守部品の保守図面の画像情報の内容を概念的に示した説明図、図３はエレベーターの保守部品情報の内容を示した説明図、図４はエレベーターの保守部品の製作図面の画像情報の内容を概念的に示した説明図、図５は検索画面の内容を示した説明図、図６は保守図面の表示画面の内容を示した説明図、図７は製作図面の表示画面の内容を示した説明図、図８は保守図面の図面表示画面の一具体例を示した説明図、図９は製作図面の図面表示画面の一具体例を示した説明図、図１０は保守部品検索処理の流れ図、図１１は図１０に続く保守部品検索処理の流れ図、図１２は図１１に続く保守部品検索処理の流れ図、図１３は図１１に続く保守部品検索処理の流れ図である。
【００１３】
図１において、１は種々のデータや指令等の情報を入力するための入力部、２ａ〜２ｅは記憶部であり、２ａは後述する制御部が実行する処理プログラムが格納されているＲＯＭおよび入力データや処理の過程での一時記憶に使用されるＲＡＭから成る主記憶部、２ｂはエレベーターの保守部品の保守図面の画像情報を記憶する第１の記憶部、２ｃは保守部品の部品番号毎の保守部品情報を記憶する第２の記憶部、２ｄは検索された保守部品情報を一時的に記憶する第３の記憶部、２ｅはエレベーターの保守部品の製作図面の画像情報を記憶する第４の記憶部、３は各種保守部品情報が整理された表や保守部品の画像情報等として表示する表示部、４は紙等へ各種の情報を印刷して排出したり外部装置に転送する出力部、５は上述の各部との間で情報を遣り取りして各部を制御すると共にデータ処理を実行する制御部である。
【００１４】
各保守部品の図面を表す画像情報は、図２に示すようにそれぞれその部品の部品番号と対応付けられている。また、図３に示すように、保守部品情報は各部品番号毎にその部品名と製作図番が対応付けて記憶されている。第３の記憶部２ｄは第２の記憶部２ｃと同じ項目で構成されており、検索された保守部品情報を一時的に記憶する。更に、図４に示すように、各保守部品の製作図面を表す画像情報はそれぞれその部品の製作図番と対応付けられている。
【００１５】
図５に示すように、検索画面では検索部品名表示部イ、検索指示部ロ、検索結果表示部ハ、操作情報入力部ニを表示できるようになっている。操作者が入力部１を操作して所望の保守部品の部品名を指示入力した時に、検索部品名表示部イにその部品名が表示される。操作者が検索部品名表示部イに表示された部品名の部品番号を検索指示する場合は、検索指示部ロを接触操作する。
【００１６】
検索指示部ロが接触操作されると、制御部５は第２の記憶部２ｃから検索部品名表示部イに表示された部品名と同じ部品名の保守部品情報を抽出し、各保守部品情報を部品番号順に並び替えて表示部３に出力する。検索された保守部品情報は検索結果表示部ハに表示される。この検索結果表示部ハは、列の左から、項番欄ハ１、部品番号欄ハ２、部品名欄ハ３、製作図番欄ハ４、抽出件数欄ハ５の順で配列されている。抽出件数欄ハ５には所望の部品名を指定した検索により抽出された部品番号の数が表示される。操作情報入力部ニは、該当する保守図面を表示させるための保守図面表示指示部ニ１、製作図面を表示させるための製作図面表示指示部ニ２、検索画面の表示を終了させるための終了指示部ニ３から成っている。
【００１７】
保守図面表示指示部ニ１の接触操作により表示部３に表示された図面表示画面は、図６に示すように、表示指示された保守部品の図面が表示される保守図面表示部ホと、保守図面の表示を終了し検索により抽出された保守部品を表示させる画面に戻る検索画面戻り指示部ヘとから成っている。
【００１８】
製作図面表示指示部ニ２の接触操作により表示部３に表示された図面表示画面は、図７に示すように、表示指示された保守部品の製作図面が表示される製作図面表示部トと、製作図面の表示を終了し検索により抽出された保守部品を表示させる画面に戻る検索画面戻り指示部チとから成っている。
【００１９】
図８は保守図面表示部ホに表示された保守部品の保守図面表示画面の一具体例を示した説明図である。この例では保守部品はジク（軸）であり、部品番号はＰ１２１７３８１である。この例のように、保守図面は形状寸法が把握しやすいように斜視図が多く採用されている。図９は製作図面表示部トに表示された保守部品の製作図面表示画面の一具体例を示した説明図である。この例では保守部品はジク（軸）であり、製作図番はＭ４０１２２７４−１である。この例のように製作図面はＪＩＳに則り、第三角法で正確に描かれており、形状寸法が詳細に表現されている。
【００２０】
次に、本実施形態の保守部品検索処理の動作を図１０〜図１３を用いて説明する。
【００２１】
保守部品検索を行う場合は操作者はまず、入力部１の操作卓を操作してメニュー画面表示指令を入力し、それにより表示部３の表示画面に図示しないメニュー画面が表示される（Ｓ１）。次に、メニュー画面終了指令が入力されたか否かを判断して（Ｓ２）、その判断結果が然り、即ち、メニュー画面終了指令が入力されたならば、保守部品検索処理の動作を終了し、手順Ｓ２の判断結果が否ならば、検索画面の表示指令が入力されたか否かを判断する（Ｓ３）。その判断結果が否ならば、メニュー画面に表示された他の項目の指令が入力されたか否かを判断して（Ｓ４）、その判断結果が否ならば、手順Ｓ２に戻り、手順Ｓ４の結果が然り、即ち、他の項目の指令が入力されたならば、表示部３の表示画面に当該指令の対象となった項目を表示させる（Ｓ５）。そして、当該表示内容に対応する処理を行った後（Ｓ６）、最初の手順Ｓ１に戻る。
【００２２】
手順Ｓ３の判断結果が然り、即ち、検索画面の表示指令が入力されたならば、表示部３の表示画面に検索画面を表示させ、検索部品名表示部イの項目とその表題および検索指示部ロの項目を表示させる（Ｓ７）。次に、入力部１の操作卓の操作により検索指示部ロが接触操作されたか否かを判断し（Ｓ８）、その判断結果が否ならば、後述の手順Ｓ１１に移り、その判断結果が然りならば、検索部品名表示部イの表題が指示表示されているか否かを判断する（Ｓ９）。そして、その判断結果が然りならば、後述する図１１の手順Ｓ１２に移り、その判断結果が否ならば、「誤操作である」旨の案内文を検索画面に表示させて操作者に検索部品名表示部イの表題の入力操作を促し（Ｓ１０）、操作者により入力操作された表題名を検索画面の検索部品名表示部イに表示させ（Ｓ１１）、手順Ｓ８に戻る。
【００２３】
手順Ｓ９の判断結果が然りとなったならば、前述のように、図１１の手順Ｓ１２に移って、検索部品名表示部イに表示された表題と同じ部品名の個別情報を第２の記憶部２ｃに予め記憶されているエレベーターの保守部品情報から抽出して第３の記憶部２ｄに格納する（Ｓ１２）。そして、第３の記憶部２ｄに格納した保守部品情報を部品番号順に並び替えると共に順番の番号を割り振る（Ｓ１３）。次に、検索画面に検索結果表示部ハの各表示項目を表示させ、第３の記憶部２ｄに格納した保守部品情報の個数を抽出件数欄ハ５に表示させる（Ｓ１４）。そして、第３の記憶部２ｄから読み出した保守部品情報の順番の番号を項番欄ハ１、部品番号を部品番号欄ハ２、部品名を部品名欄ハ３、製作図番を製作図番欄ハ４に表示させる（Ｓ１５）。次に、終了指示部ニ３を表示させる（Ｓ１６）。
【００２４】
次に、検索画面終了指令が入力されたか否かを判断して（Ｓ１７）、その判断結果が然り、即ち、検索画面終了指令が入力されたならば、検索処理を終了し、手順Ｓ１に戻る。手順Ｓ１７の判断結果が否ならば、保守図面表示指示部ニ１が接触操作され、保守図面表示指示の指令が発されたか否かを判断する（Ｓ１８）。そして、その判断結果が然りならば、後述する図１２の手順Ｓ２０に移り、その判断結果が否ならば、製作図面表示指示の指令が発されたか否かを判断する（Ｓ１９）。そして、その判断結果が然りならば、後述する図１３の手順Ｓ２４に移り、その判断結果が否ならば、手順Ｓ８に戻る。
【００２５】
手順Ｓ１８の判断結果が然りとなったなら、前述のように、図１２の手順Ｓ２０に移って、保守図面表示画面を表示し、第１の記憶部２ｂから、保守図面表示指示部ニ１で指示された部品番号と同じ部品番号の保守図面の図面画像を引出し、保守図面表示部ホに表示する（Ｓ２０）。次に、検索画面戻り指示部ヘを表示する（Ｓ２１）。次に、検索画面戻り指令が入力されたか否かを判断して（Ｓ２２）、その判断結果が然り、即ち、検索画面戻り指令が入力されたならば、保守図面表示処理を終了し、手順Ｓ８に戻って検索画面に関する情報を回復し、その画面を表示する（Ｓ２３）。そして、その判断結果が否ならば、手順Ｓ２０に戻る。
【００２６】
手順Ｓ１９の判断結果が然りとなったなら、前述のように、図１３の手順Ｓ２４に移って、製作図面表示画面を表示し、第４の記憶部２ｅから、製作図面表示指示部ニ２で指示された製作図番と同じ製作図番の図面画像を引出し、製作図面表示部トに表示する（Ｓ２４）。次に、検索画面戻り指示部チを表示する（Ｓ２５）。次に、検索画面戻り指令が入力されたか否かを判断して（Ｓ２６）、その判断結果が然り、即ち、検索画面戻り指令が入力されたならば、製作図面表示処理を終了し、手順Ｓ８に戻って検索画面に関する情報を回復し、その画面を表示する（Ｓ２７）。そして、その判断結果が否ならば、手順Ｓ２４に戻る。
【００２７】
なお、この例では、接触操作により表示を行うようにしたが、一般に行われているように、クリックにより表示させるようにしても良い。
【図面の簡単な説明】
【００２８】
【図１】本発明の実施例に係るエレベーターの保守部品検索支援装置のブロック図である。
【図２】エレベーターの保守部品の保守図面の画像情報の内容を概念的に示した説明図である。
【図３】エレベーターの保守部品情報の内容を示した説明図である。
【図４】エレベーターの保守部品の製作図面の画像情報の内容を概念的に示した説明図である。
【図５】検索画面の内容を示した説明図である。
【図６】保守図面の表示画面の内容を示した説明図である。
【図７】製作図面の表示画面の内容を示した説明図である。
【図８】保守図面の図面表示画面の一具体例を示した説明図である。
【図９】製作図面の図面表示画面の一具体例を示した説明図である。
【図１０】保守部品検索処理の流れ図である。
【図１１】図１０に続く保守部品検索処理の流れ図である。
【図１２】図１１に続く保守部品検索処理の流れ図である。
【図１３】別の図１１に続く保守部品検索処理の流れ図である。
【符号の説明】
【００２９】
１    入力部
２ａ  主記憶部
２ｂ  第１の記憶部  
２ｃ  第２の記憶部
２ｄ  第３の記憶部
２ｅ  第４の記憶部
３    表示部
４    出力部
５    制御部
イ    検索部品名表示部
ロ    検索指示部
ハ    検索結果表示部
ハ２  部品番号欄
ハ４  製作図番欄
【図１】
2005301435.tif 000003
【図２】
2005301435.tif 000004
【図３】
2005301435.tif 000005
【図４】
2005301435.tif 000006
【図５】
2005301435.tif 000007
【図６】
2005301435.tif 000008
【図７】
2005301435.tif 000009
【図８】
2005301435.tif 000010
【図９】
2005301435.tif 000011
【図１０】
2005301435.tif 000012
【図１１】
2005301435.tif 000013
【図１２】
2005301435.tif 000014
【図１３】
2005301435.tif 000015